(57)【要約】      （修正有）【課題】収納箱を構成する箱部以外に余分な構成を必要とせず、単純・容易な構成で食品パックを倒れないように支持する食品パック用収納箱を提供する。【解決手段】食品パック用収納箱は、収納箱１１０の面のうち広い面積の面１１１に、食品パック１００を底側から挿入し立てて倒れないように支持が可能な孔１１４を有するか、又は孔を形成可能な切断又は破り、又は剥がし、又は／及び折込み、の容易な（孔形成を補助する）孔形成部１１３を有することを特徴としている。【選択図】図１
2018002288.tif 000002
【特許請求の範囲】
【請求項１】
食品パックを収納するための収納箱の面のうち広い面積の箱面に、前記食品パックを底側から挿入し立てて倒れないように支持が可能な孔を有するか、又は前記孔を形成可能な切断又は破り、又は剥がし、又は／及び折込み、が容易であり、且つ、前記食品パックの断面と略同じサイズと形状の孔形成部を有することを特徴とする食品パック用収納箱。
【請求項２】
前記孔形成部は、前記収納箱の箱面の略中央で、且つ、前記孔形成部の長手方向と前記箱面を形成する端線（稜）がほぼ平行になるように配置されたことで前記食品パックの安定な立ち状態の維持を可能としたことを特徴とする請求項１記載の食品パック用収納箱。
【請求項３】
前記孔形成部は、一枚又は分離されて２枚となる短冊であることを特徴とする請求項１又は請求項２記載の食品パック用収納箱。
【請求項４】
前記孔形成部は、前記切断又は破りと前記折込みにより、前記収納箱の外側又は内側に且つ前記箱面に直角に立った短冊片を形成することで、前記短冊片との面接触で前記食品パックが支持されることを可能としたことを特徴とする請求項１から請求項３のいずれか１つに記載の食品パック用収納箱。
【発明の詳細な説明】
【技術分野】
【０００１】
本発明は、レトルト食品等の食品パックを立てて倒れないように支持が可能な孔を有するか又は形成可能な食品パック用の収納箱に関するものである。
【背景技術】
【０００２】
食品パックごと温めたレトルト食品を食する場合、容器に開けないでそのまま食したい場合がある。立ち位にある食品パックは倒れやすいので、倒れないように支持する道具が必要になる。一番好都合なのは、食品パックを入れていた収納箱を利用することである。
図3には、収納箱を利用した従来の例を示す。この例は、特許文献１に示されるものであり、収納箱の底側にこれを置く台面に広く広がるためのはみ出し部（図３の点線囲み部）を設けたものであるが、通常の箱部に加えて余分にこの部分を形成するために箱が複雑かつ、余分な製作工程と材料を余分に使うという欠点を有する。
【先行技術文献】
【特許文献】
【０００３】
【特許文献１】特許第４９４０１８３号
【発明の概要】
【発明が解決しようとする課題】
【０００４】
本発明の課題は、収納箱を構成する箱部以外に余分な構成を必要とせず、単純・容易な構成で食品パックを倒れないように支持する食品パック用収納箱を提供することである。
【課題を解決するための手段】
【０００５】
本発明にかかる食品パック用収納箱は、収納箱の面のうち広い面積の面に、食品パックを底側から挿入し立てて倒れないように支持が可能な孔を有するか、又は孔を形成可能な切断又は破り、又は剥がし、又は／及び折込み、の容易な（孔形成を補助する）形成部を有することを特徴としている。
以下、請求項に沿って記述する。
【０００６】
請求項１記載の発明は、食品パック用収納箱であって、
食品パックを収納するための収納箱の面のうち広い面積の箱面に、前記食品パックを底側から挿入し立てて倒れないように支持が可能な孔を有するか、又は前記孔を形成可能な切断又は破り、又は剥がし、又は／及び折込み、が容易であり、且つ、前記食品パックの断面と略同じサイズと形状の孔形成部を有することを特徴とする。
【０００７】
請求項２記載の発明は、請求項１記載の食品パック用収納箱において、
前記孔形成部は、前記収納箱の箱面の略中央で、且つ、前記孔形成部の長手方向と前記箱面を形成する端線（稜）がほぼ平行になるように配置されたことで前記食品パックの安定な立ち状態の維持を可能としたことを特徴とする。
【０００８】
請求項３記載の発明は、請求項１又は請求項２記載の食品パック用収納箱において、
前記孔形成部は、一枚又は分離されて２枚となる短冊であることを特徴とする。
【０００９】
請求項４記載の発明は、請求項１から請求項３のいずれか１つに記載の食品パック用収納箱において、
前記孔形成部は、前記切断又は破りと前記折込みにより、前記収納箱の外側又は内側に且つ前記箱面に直角に立った短冊片を形成することで、前記短冊片との面接触で前記食品パックが支持されることを可能としたことを特徴とする。
【発明の効果】
【００１０】
以上の様に構成されているので、本発明によれば、容易に食品パックが挿入できる孔が得られるので、収納箱を広い面積の面を台面においた状態で、孔に食品パックを底部から挿入すれば、収納箱は広い面で置かれている状態なので、収納箱の孔で支持された食品パックは倒れずに、封を切ればそのまま食することが容易になる。
【図面の簡単な説明】
【００１１】
【図１】本発明にかかる食品パック用収納箱の一実施態様を示す図である。
【図２】本発明にかかる食品パック用収納箱の別の一実施態様を示す図である。
【図３】従来の食品パック用収納箱の例を示す図である。
【発明を実施するための形態】
【００１２】
本発明にかかる食品パック用収納箱は、収納箱の面のうち広い面積の面に、食品パックを底側から挿入し立てて倒れないように支持が可能な孔を有するか、又は孔を形成可能な切断又は破り、又は剥がし、又は／及び折込み、の容易な（孔形成を補助する）孔形成部を有する。
以下図に沿って説明する。
【００１３】
図１は、本発明にかかる食品パック用収納箱の一実施態様を示す図である。
１−Ａにおいて、１−Ｂに示す食品パック１００が、収納箱１１０に収納されている。
１−Ｃには、収納箱１１０のみを示している。
収納箱１１０の材質は紙であることが多いが、これに限定されない。
収納箱１１０は、食品パック１００を収納するのであるから、形状も食品パック１００に近い形状をしている。収納箱１１０の広い面積の箱面１１１には、孔形成部１１３が備えられている。孔形成部１１３は、食品パックを立てて倒れないように支持が可能な孔を有するか、又は孔を形成可能な切断又は破り、又は剥がし、又は／及び折込み、の容易な特徴をもち、従って孔の形状と大きさは、食品パックの断面より少し大きい程度の形状とサイズを有する。孔形成部１１３の向きは、図示以外にいか様な向きでもよい。
ここでは、容易に破りとれるようにミシン線が入った例である。
１−Ｄには、孔形成部１１３の短冊（長片）を破り取り孔１１４を開けた状態を示す。
１−Ｇには、孔形成部１１３の短冊（長片）を一端で破り、他端で内側に折り込んだ孔１１４を開けた状態を示す。折り込まれた短冊片１１５は、食品パック１００を面接触で支持する。勿論、収納箱１１０の外側に折り込むことも可能である。
１−Ｅでは、孔１１４に食品パック１００を底側から挿入した状態を示す。これにより、食品パック１００は、倒れない収納箱１１０の孔１１４に支持され、立った状態で保持される。
１−Ｆでは、食品パック１００の口側を開封した状態を示す。この状態で食することができるので、わざわざ容器に開ける手間が省けることになる。又、容器を洗うことも必要が無くなる。
【００１４】
図２は、本発明にかかる食品パック用収納箱の別の一実施態様を示す図である。
図２のものも、収納箱１１０の広い面積の箱面１１１には、孔形成部１１３が備えられている。図１との違いは、図１では、短冊（長片）を破り取ってしまうことで孔１１４が形成されたので、食品パックは、孔１１４と収納箱１１０の底面で支えられている。
これに対して、図２では、図のように短冊が二つの短冊片１１５に分かれて、折り込まれるので、食品パックは、収納箱１１０の底面と折り込まれた短冊片１１５の二つの片の面で支持されることになる。このことは、図１よりも面で支持されるため、支持が確実になる。そのため、底面から上面との間の長さが小さい（薄い収納箱）でも確固たる支持が可能になる。
２−Ａでは、収納箱１１０の広い面積の箱面１１１に孔形成部１１３がある。図で孔形成部１１３の長手方向の上端と下端、及び上端と下端の略中央を結ぶ線がミシン線になっており、切れやすくなっている。上端と下端の両端を結ぶ線が折込容易になっている。従って、孔形成部１１３は二つの短冊片１１５に分かれて折れる。
このような二つの短冊片１１５に分かれた状態を２−Ｂと２−Ｃに示す。前者は、短冊が収納箱１１０の面の外側に開いた場合、後者は、内側に開いた場合である。２−Ｄには、１−Ｅと同様に、孔１１４に食品パック１００を底側から挿入した状態を示す。底面から上面との間の長さが小さい（薄い収納箱）でも食品パック１００は、底面に加えて、二つの短冊とで両側から面接触して確固たる支持が可能になる。
尚、孔形成部１１３は、収納箱１１０の箱面の略中央で、且つ、孔形成部１１３の長手方向と箱面を形成する端線（稜）がほぼ平行になるように配置をすると、食品パックの安定な立ち状態の維持を可能とし、且つ、複数の収納箱１１０をテーブル上に整理された配置ができる。
【産業上の利用可能性】
【００１５】
以上のように本発明にかかる食品パック用収納箱は、箱自体が元々有する構成で簡単に食品パックを立てて倒れないように支持するので産業上利用して極めて好都合である。
【符号の説明】
【００１６】
１００  食品パック
１１０  収納箱
１１１  広い面積の箱面
１１２  狭い面積の箱面
１１３  孔形成部
１１４  孔
１１５  短冊片
【図１】
2018002288.tif 000003
【図２】
2018002288.tif 000004
【図３】
2018002288.tif 000005